(57)【要約】      （修正有）【課題】電車の座席や一般の腰掛け椅子に座った状態でバッグ携行者の両脚の間に安定にバッグ自体を掛留めすることができる携帯バッグおよび携帯バッグ用膝掛け保持具を提供する。【解決手段】携帯バッグ１はバッグ本体の前面および後面にコ字状、Ｌ状ないし円弧状の一対の形状保持ワイヤ部材の各一端が吊持され、形状保持ワイヤ部材の延在長さは、腰掛け椅子に座った使用者の両膝（大腿部）に形状保持ワイヤ部材を掛け渡した時にバッグ本体がバッグ使用者の両脚の間に保持されるような長さに設定されている。形状保持ワイヤ部材は５〜１０ｍｍ程度の硬質ワイヤ５で構成され、かつバッグ本体に対し脱着可能である。【選択図】図１
0003211749.tif 000002
【実用新案登録請求の範囲】
【請求項１】
バッグ本体の前面および後面にコ字状、Ｌ状ないし円弧状の一対の形状保持ワイヤ部材の各一端が吊持され、前記形状保持ワイヤ部材の延在長さは、腰掛け椅子に座った使用者の両膝に前記形状保持ワイヤ部材を掛け渡した時に前記バッグ本体が前記使用者の両脚の間に保持されるような長さに設定されていることを特徴とする携帯バッグ。
【請求項２】
前記形状保持ワイヤ部材は前記バッグ本体に脱着可能に取り付けられた硬質ワイヤ部材であることを特徴とする請求項１に記載した携帯バッグ。
【請求項３】
バッグ本体の前面および後面に吊持されるのに適した一対のコ字状、Ｌ状ないし円弧状の形状保持ワイヤ部材で構成され、前記形状保持ワイヤ部材の延在長さは、腰掛け椅子に座った使用者の両膝に前記形状保持ワイヤ部材を掛け渡した時に前記バッグ本体が前記使用者の両脚の間に保持されるようになっていることを特徴とする携帯バッグ用膝掛け保持具。
【考案の詳細な説明】
【技術分野】
【０００１】
本考案は携帯バッグおよび携帯バッグ用掛留め保持具に関し、より具体的には、例えば電車等の座席に腰掛けたバッグ携帯者のバッグがバッグ携帯者の両脚の間に安定に保持されるようにした携帯バッグおよび携帯バッグ用膝掛け保持具に関する。
【背景技術】
【０００２】
携帯バッグあるいは手提げ鞄は一般に、蓋を閉じたバッグ本体の蓋の上部に手提げ用の握り部が形成されるか、またはバッグ本体の前面および後面に一対のアーチ状の握り部が装着されており、この握り部を把持して持ち歩くのが普通である。この握り部に加えて、バッグ本体の上部両端に長尺の肩掛けベルトを脱着可能に取り付け、この肩掛けベルトに腕を通して肩掛け状態でバッグを携行するようにしたもの、あるいは前記バッグ本体の前後面に装着したアーチ状の握り部を大径に形成し、このアーチ状握り部に腕を肩まで通して肩掛け状態に保持する形態のものも存在する。
【０００３】
特許文献１にはカバン本体の上部に、一対の円弧状の金属、合成樹脂製把手を回転自在に枢支し、回転の向きを変えることで円弧状部材をカバン本体の把手用、引掛け用、吊下げ用等に使用できるようにしたカバンが記載されている。
また、特許文献２には、鞄本体の背面に側面視逆Ｕ字状に折曲した枠体を取り付け、この逆Ｕ字状枠体を自動車の座席背当などへ係止させることで鞄本体を車の座席背当に保持するようにした鞄が開示されている。そのほか電車の座席に座ったときに手提げカバンを膝上に安定に保持するとともに持参している傘もカバンと一体に保持するようにした構成のものが提案されている（特許文献３）。これによれば、カバン本体に帯状の止め具を装着し、雨天時の車内で手提げカバンを膝の上に置き、持参している傘をカバン本体と前記止め具との間に挿入して膝の上のカバンを固定することで両手を自由にできるようにしている。
【先行技術文献】
【特許文献】
【０００４】
【特許文献１】実公昭４９−３６５６３号公報
【特許文献２】実公昭４３−３１１０４号公報
【特許文献３】特開平１１−５６４４３号公報
【考案の概要】
【考案が解決しようとする課題】
【０００５】
書類等を入れて持ち歩く通常の携帯バッグは、例えば電車の中で座席に座ったとき、バッグ携行者の膝の上にバッグを載せるか、あるいは足元の床の上に直接置くのが普通である。この状態でバッグ内の書類の一部を取り出したり、バッグに書類や筆記具その他の小物を入れたりする場合、どうしても両手を使ってバッグを開けたり、書類等の出し入れをする必要があり、特に車内が混んでいるような場合には非常に煩雑である。
【０００６】
一般にこの種の携帯バッグや書類鞄は縦、横の寸法は比較的大きいものの、厚みはそれ程でもなく、立位状態に床面上に置いたとき、支えがないと倒れてしまう。また、車内の床が濡れていたり、汚れているような場合、床上に直接バッグを置くことには抵抗がある。膝の上で横置姿勢のバッグを開いて書類の出し入れをすることは、混雑した満員車内では隣接した乗客や周囲の者に迷惑がかかることもある。上述した特許文献１〜３のものはいずれも、電車内で持参しているカバンの収納物を出し入れし易くしたものではなく、また座席に座った状態で使用者の両脚の間に鞄を、しかも床から離間した形態で安定に保持することについては記載されていない。
【０００７】
本考案は、このような状況に鑑みてなされたものであり、電車の座席や一般の腰掛け椅子に座った状態でバッグ携行者の両脚の間に安定にバッグ自体を掛留めすることができる携帯バッグを提供することを目的とする。
【０００８】
本考案はまた、電車の座席や一般の腰掛け椅子に座った状態で、濡れたり汚れたりした床面からバッグ底部を離間した状態にして安定にバッグ携行者の両脚の間に保持することができる携帯バッグを提供することを目的とする。
【０００９】
本考案はさらに、椅子に座った状態で使用者の両膝に掛留めする以外にも肩掛け状態にして携行できる携帯バッグを提供することを目的とする。
【００１０】
本考案はまた、椅子に座った使用者の両膝の間に保持したり、肩掛け状態にして携行できる携帯バッグに簡単に取付け、取外しできる携帯バッグ用膝掛け保持具を提供することを目的とする。
【課題を解決するための手段】
【００１１】
本考案に係る携帯バッグは、バッグ本体の前面および後面にコ字状、Ｌ状ないし円弧状の一対の形状保持ワイヤ部材の各一端が吊持され、前記形状保持ワイヤ部材の延在長さは、腰掛け椅子に座った使用者の両膝に前記形状保持ワイヤ部材を掛け渡した時に、前記バッグ本体が前記使用者の両脚の間に保持されるような長さに設定されている。
【００１２】
本考案のひとつの形態によれば、前記携帯バッグの形状保持ワイヤ部材は前記バッグ本体に脱着可能に取り付けられた硬質ワイヤ部材で構成されている。
【００１３】
また、本考案に係る携帯バッグ用膝掛け保持具は、バッグ本体の前面および後面に吊持されるのに適した一対のコ字状、Ｌ状ないし円弧状の形状保持ワイヤ部材で構成され、前記形状保持ワイヤ部材の延在長さは、腰掛け椅子に座った使用者の両膝に前記形状保持ワイヤ部材を掛け渡した時に前記バッグ本体が前記使用者の両脚の間に保持されるようになっている。
【考案の効果】
【００１４】
本考案に係る携帯バッグによれば、椅子に座った状態でバッグを使用者の両膝の間に安定に保持することができる。また、バッグに吊持された形状保持ワイヤ部材を肩にかけることで、バッグを肩掛け状態にして携行できる。
【００１５】
また、本考案に係る携帯バッグ用膝掛け保持具は携帯バッグに簡単に取付け、取外しができ、バッグに取付けることで椅子に座った使用者の両膝の間に携帯バッグを保持したり、肩掛け状態にして携行することもできる。
【００１６】
本考案に係る携帯バッグは、例えば混雑した電車内で座席に座った使用者がバッグに書類等を出し入れする場合に特に有効である。
【図面の簡単な説明】
【００１７】
【図１】本考案の実施例に係る携帯バッグの正面図である。
【図２】図１に示す携帯バッグの側面図である。
【図３】本考案の実施例に係る携帯バッグを電車の座席に座った使用者の両膝の間に保持したときの概略的な正面図である。
【図４】図３に示す実施例の概略的な上面図である。
【図５】バッグ本体に吊持された硬質ワイヤ部材の非使用時の状態を例示した携帯バッグの正面図である。
【図６】本考案の各種実施例に係る携帯バッグ用膝掛け保持具の正面図である。
【考案を実施するための形態】
【００１８】
次に、本考案を、図面を参照しつつ、実施例について説明する。
図１、図２を参照すれば、この実施例に適用される携帯バッグ１の本体は、前面および後面の上部にそれぞれ円弧状の把手、つまり手提げ用握り部２が設けられ、また上面にバッグ１の横長さ方向にのびる開き口３が形成され、この開き口３が公知のファスナー等によって開閉されるようになった形態のものである。ただし、本考案に係る携帯バッグは必ずしもこのような形態のものに限定されるものではなく、手提げ状態で携行できる任意の携帯バッグ、書類鞄、手提げバッグその他同類のバッグや鞄に適用可能である。
【００１９】
バッグ本体の前面および後面の上部近くの略中央位置に、この実施例ではコ字状に曲折した形状保持ワイヤ部材の一端が吊持されている。この実施例で前記形状保持ワイヤ部材としては外径５〜１０ｍｍ程度の硬質ワイヤ部材５が用いられている。硬質ワイヤ部材５としては例えば硬質合成樹脂ワイヤあるいは金属ワイヤが採用され、コ字状に成形ないし曲折加工された形状が維持されるようになっている。場合によっては、ワイヤの外周が適当な化粧帯片で巻回、被覆されるか、あるいは塗装処理されて良好な外観を呈するように配慮されている。
【００２０】
硬質ワイヤ部材５は、この実施例では、バッグ本体に対して脱着できるように取り付けられている。具体的には図１、図２に例示されるように硬質ワイヤ部材５の一端にリング部６が形成され、このリング部６に紐部材７を介してボタン８（図１）が連結され、バッグ本体の前面および後面に形成されたボタン孔９に前記ボタン８を掛留めすることでワイヤ部材５がバッグ本体に脱着可能に取り付けられる。
【００２１】
硬質ワイヤ部材５の脱着可能な取付け形態としては、上述のボタンの掛留め以外にも種々の形態が採用可能である。例えば公知の布製面ファスナーを利用した取付け形態があり、硬質ワイヤ部材５の端部のリング部６に紐部材７を介して面ファスナー（図示省略）が連結され、一方、バッグ本体側の外面にも同様に面ファスナー（図示省略）が固着され、これらの面ファスナーどおしを接合させることで硬質ワイヤ部材５をバッグ本体に取り付けるようにしてもよい。
【００２２】
図１、図２の実施例で示した硬質ワイヤ部材５のコ字状の折曲形状の大きさとしては、コ字状の対向した腕巾間の寸法Ｗが概ねバッグ持参者の大腿部の太さに対応する寸法に形成される。また、コ字状の両腕の長さＬは概ねバッグ持参者の大腿部の太さの半分程度ないしは概ねその前後の長さ寸法に形成される。なお、これらの寸法はバッグ自体の大きさや形状によっても若干異なるものであり、要は使用者が電車の座席あるいは腰掛椅子に座った状態で両脚の間にバッグを挟むようにしたとき、コ字状の硬質ワイヤ部材が使用者の大腿部を左右から挟むように大腿部に係合するような寸法に形成される。
【００２３】
次に、上述した実施例に係るコ字状の硬質ワイヤ部材を有する携帯バッグの保持形態について図３、図４を参照して説明する。図３、図４は一般の電車内で座席１１に使用者１０が座っているときの状態を示している。この状態で携帯バッグ１の持参者（バッグ携行者、使用者）１０は両脚（膝部分）１２を若干開き、その膝の間に持参している携帯バッグ１を挟み込むと同時に、バッグ本体の前面および後面に吊持されているコ字状の硬質ワイヤ部材５を使用者１０の大腿部１３に掛留めする。図４に示すように、バッグ前後面一対の硬質ワイヤ部材の一方のワイヤ部材５ａは一方の大腿部１３ａに係合し、他方のワイヤ部材５ｂは他方の大腿部１３ｂに係合する。座席１１に座った状態では、使用者１０の大腿部は座席１１から前方へ水平に伸長するので、携帯バッグ１は大腿部１３ａ，１３ｂに吊り下げられる形態で両脚１２，１２（図３）の間に保持される。
【００２４】
携帯バッグ１を直接車内の床面１６に置いた場合は、手等で支えていないとバッグ１が横に倒れるおそれがあるが、本考案に係る硬質ワイヤ部材５を両大腿部１３ａ，１３ｂに掛留めすることにより、バッグは倒れることはなく使用者１０の両脚１２，１２の間に確実に保持され、バッグの収納物、例えば書類を出し入れする場合に両手が自由に使え、迅速かつスムーズに収納物の出し入れができる。大腿部１３ａ，１３ｂに掛留めされたバッグ１は手で支えている必要はなく、この状態で使用者の両手は自由となり、本を読んだり、携帯端末機器を操作したりすることができる。また、硬質ワイヤ部材５を吊り下げている紐部材７の長さを適当に調節することで、両脚１２の間の携帯バッグ１を床面１６から離間した状態（図３の状態）に保持することができ、車内の床面１６が汚れたり濡れたりしている場合にも、携帯バッグ１を汚さずに安定に両脚１２，１２間に保持できる。また、車内が満員で混雑している場合にも隣りの乗客に迷惑をかけることなく、バッグ内の収納物を出し入れできる。従来のように使用者の膝の上でバッグの収納物を出し入れする場合と比べて、はるかに操作が容易となる。また、従来のようにバッグが膝の上から滑り落ちる心配もなくなる。
【００２５】
図５はバッグ本体に吊持された硬質ワイヤ部材５の非使用時の状態を例示した本考案に係る携帯バッグ１の正面図である。硬質ワイヤ部材５の非使用時にはバッグ本体から取り外してバッグ内に収納することもできるが、図５の形態はバッグ本体の前面にバッグ本体の横長さにわたるポケット部１７が形成され、硬質ワイヤ部材５の一端を紐部材７を介してバッグ本体に吊持した状態でワイヤ部材５の他端側をポケット部１７に差し込むようにしたものである。これによって携帯バッグ１を持ち歩く場合にも、吊持した硬質ワイヤ部材５がバッグ本体に対して不快に揺動することなく安定に保持され、使用時には即座にポケット部１７から硬質ワイヤ部材５を抜き出して使用状態にすることができる。なお、図５において図１と同様の部分には同一の符号を付し、かつその部分の重複した説明は省略する。
【００２６】
図６（ａ）〜（ｄ）は本考案に係る携帯バッグ用硬質掛留めワイヤ部材の各種形態を例示した正面図である。図６（ａ）に示す例は図１〜図４で用いた硬質ワイヤ部材５と同様の形態のものであり、コ字状に折曲された部材で、一端に前記紐部材を連結するリング部６が形成され、この紐部材を介してバッグの前面および後面に吊持される。図６（ｂ）は半円状に形成された硬質ワイヤ部材１８であり、同様に一端にバッグに保持するためのリング部６を有し、半円状の内側部分が椅子に腰掛けた使用者の大腿部に係合するようになっている。図６（ｃ）は同図（ｂ）の変形形態であり、わん曲部の浅い円弧状に形成された硬質ワイヤ部材１９としたものである。さらに図６（ｄ）は図６（ａ）のコ字状ワイヤ部材の変形形態であり、Ｌ状に形成された硬質ワイヤ部材２０としたものである。以上は本考案に係る硬質ワイヤ部材の例示であり、このほかにも使用者の大腿部に掛留めできる形状であれば他の形状のものであってもよい。
【００２７】
なお、本考案に係る硬質ワイヤ部材を有する携帯バッグは前記硬質ワイヤ部材のコ字状〜円弧状の部分を使用者の肩に係合させることにより、携帯バッグを手で持つことなく肩掛けの状態で携行できる。この形態も本考案に係る携帯バッグの利点となるものである。
【符号の説明】
【００２８】
１  携帯バッグ
２  手提げ用握り部
５  硬質ワイヤ部材
６  リング部
７  紐部材
８  ボタン
９  ボタン孔
１１  座席
１２  脚
１３，１３ａ，１３ｂ  大腿部
１６  床面
１７  ポケット部
１８，１９，２０  硬質ワイヤ部材
【図１】
0003211749.tif 000003
【図２】
0003211749.tif 000004
【図３】
0003211749.tif 000005
【図４】
0003211749.tif 000006
【図５】
0003211749.tif 000007
【図６】
0003211749.tif 000008